(57)【要約】【課題】専用の駆動回路および駆動配線を必要としないクロストーク補正用圧力発生手段を備えた液滴吐出ヘッドおよび画像形成装置を提供する。【解決手段】圧電体３０４の上には必要に応じて絶縁体３０２が設けられ、表面をカバーしている。圧電体３０４の、絶縁体３０２でカバーされていない箇所は補正用アクチュエータ３００とされる。隣接する吐出要素１０４に接続された２本の駆動配線２０４は、この補正用アクチュエータ３００において圧電体３０４と接触しながら図２（Ｃ）に示すように平行するように配置される。吐出要素１０４Ｂと、隣接する吐出要素１０４Ｃとにそれぞれ接続する駆動配線２０４Ｂと駆動配線２０４Ｃとは、絶縁体３０２でカバーされず圧電体３０４が表面を形成している補正用アクチュエータ３００で、一定距離にわたって平行に配置される。【選択図】図２
2010228218.tif 000002
【特許請求の範囲】
【請求項１】
液が供給される液供給流路と、
前記液供給流路に連通し液を加圧する複数の圧力室と、
前記圧力室に連通し液滴を吐出するノズルと、
前記圧力室ごとに設けられ、前記圧力室を加圧する第１の圧力発生手段と、
前記液供給流路の一つの面の壁を構成する部材を形成する振動板上に前記第１の圧力発生手段ごとに設けられ、前記圧力発生手段にそれぞれ電気信号を伝達する駆動配線と、
前記振動板上に設けられ、隣接する前記第１の圧力発生手段に接続された前記駆動配線の間で前記第１の圧力発生手段とは逆位相に前記振動板を変位させる第２の圧力発生手段と、
を備えた液滴吐出ヘッド。
【請求項２】
前記液供給流路の前記一つの面を構成する前記振動板の表面をカバーする前記第２の圧力発生手段と、
前記第２の圧力発生手段の表面の一部に設けられた絶縁体が前記駆動配線と前記第２の圧力発生手段とを絶縁する第１の区域と、
隣接する前記駆動配線が並んで設けられ、前記第２の圧力発生手段と前記駆動配線とが接触する第２の区域と、を備え、
前記第２の区域で隣接する前記駆動配線の間の前記振動板が前記第１の圧力発生手段とは逆位相に変位することを特徴とする請求項１に記載の液滴吐出ヘッド。
【請求項３】
請求項１または請求項２に記載の液滴吐出ヘッドを備えた画像形成装置。
【発明の詳細な説明】
【技術分野】
【０００１】
本発明は液滴吐出ヘッドおよび画像形成装置に関する。
【背景技術】
【０００２】
従来より、圧力室に圧力を発生させて液を加圧し、吐出口より液滴として吐出させる構成において、各圧力室に液を供給する液流路に圧力が逆流し、他の圧力室における吐出性能に影響を与える所謂クロストークの問題が存在した。
【０００３】
これに対して例えばインクジェット記録装置においては、吐出用に圧力を発生させる圧電部材とは別個に、クロストーク低減のための圧電部材を独立して設けた構成が提案されている。
【０００４】
例として、インクを吐出させるために各圧力室に発生させた圧力が、共通液室を通じて他の圧力室に伝わり吐出体積変動を生じさせるクロストーク問題に対して、共通液室にメニスカス（液面）の制御を行う補正用圧電部材を取り付け、クロストークを低減するインクジェットプリンタの構成が開示されている（例えば、特許文献１参照）。
【０００５】
また、吐出を行う第１のアクチュエータによるクロストークを打消すために、共通液室部に第２のアクチュエータを設け、特に個々の圧力室それぞれに対応した第２のアクチュエータを設けたインクジェットプリンタの構成が開示されている（例えば、特許文献２参照）。
【先行技術文献】
【特許文献】
【０００６】
【特許文献１】特開平１０−１１９２６０号公報
【特許文献２】特開２００４−１０６２１７号公報
【発明の概要】
【発明が解決しようとする課題】
【０００７】
しかし上記特許文献１に記載の方法は補正用圧電部材に専用の駆動回路、配線を必要とするものであるため、構造が複雑であり歩留まり低下やコスト増大の虞がある。また、同時に駆動させる圧力室の数によってクロストークの量が異なるため、同時に駆動させる圧力室の数をカウンタで計数し、これに比例した変位を補正用圧電部材に加えることが必要となり、更に複雑な制御を必要とする。
【０００８】
加えて補正用圧電部材のために専用の駆動回路、配線を設ける必要上、吐出用圧電部材の高密度な実装を妨げる虞があり、ノズル配置密度を高める上で望ましくない。
【０００９】
さらに上記特許文献２に記載の構成もまた、第２のアクチュエータを駆動するために専用の駆動回路、配線が必要であり、構造の複雑化、コスト増大を免れ得ない。またノズル配置の高密度化を妨げる虞がある点は特許文献１と同様である。
【００１０】
本発明は上記事実を考慮し、専用の駆動回路および駆動配線を必要としないクロストーク補正用圧力発生手段を備えた液滴吐出ヘッドおよび画像形成装置を提供することを課題とする。
【課題を解決するための手段】
【００１１】
請求項１に記載の発明は、液が供給される液供給流路と、前記液供給流路に連通し液を加圧する複数の圧力室と、前記圧力室に連通し液滴を吐出するノズルと、前記圧力室ごとに設けられ、前記圧力室を加圧する第１の圧力発生手段と、前記液供給流路の一つの面の壁を構成する部材を形成する振動板上に前記第１の圧力発生手段ごとに設けられ、前記圧力発生手段にそれぞれ電気信号を伝達する駆動配線と、前記振動板上に設けられ、隣接する前記第１の圧力発生手段に接続された前記駆動配線の間で前記第１の圧力発生手段とは逆位相に前記振動板を変位させる第２の圧力発生手段と、を備えたことを特徴とする。
【００１２】
上記の発明によれば、第１の圧力発生手段が圧力室に加えた圧力を、液供給流路の内部において、これと逆位相の圧力を発生させることにより打ち消してクロストークを改善する一方、隣接する第１の圧力発生手段を駆動する駆動配線の間に設けられた圧電体をクロストーク補正のための第２の圧力発生手段とすることで、専用の回路・配線を不要とした単純な構成とすることができる。
【００１３】
請求項２に記載の発明は、前記液供給流路の前記一つの面を構成する前記振動板の表面をカバーする前記第２の圧力発生手段と、前記第２の圧力発生手段の表面の一部に設けられた絶縁体が前記駆動配線と前記第２の圧力発生手段とを絶縁する第１の区域と、隣接する前記駆動配線が並んで設けられ、前記第２の圧力発生手段と前記駆動配線とが接触する第２の区域と、を備え、前記第２の区域で隣接する前記駆動配線の間の前記振動板が前記第１の圧力発生手段とは逆位相に変位することを特徴とする。
【００１４】
上記の発明によれば、液供給流路の壁面をカバーする圧電体の一部表面を絶縁体で絶縁し、隣接する駆動配線が平行して設けられた区域に絶縁体を設けず圧電体を駆動させることで、絶縁体の有無によりクロストーク補正用圧力発生手段の場所を設定することができる。
【００１５】
請求項３に記載の発明は、請求項１または請求項２に記載の液滴吐出ヘッドを備えたことを特徴とする。
【００１６】
上記の発明によれば、専用の駆動回路および駆動配線を必要としないクロストーク補正用圧力発生手段を備えた画像形成装置とすることができる。
【発明の効果】
【００１７】
本発明は上記構成としたので、専用の駆動回路および駆動配線を必要としないクロストーク補正用圧力発生手段を備えた液滴吐出ヘッドおよび画像形成装置とすることができる。
【図面の簡単な説明】
【００１８】
【図１】本発明の実施形態に係る画像形成装置の主要部を示す概念図である。
【図２】本発明の実施形態に係るインクジェットラインヘッドに用いられるヘッドプレートの構造を拡大して示す側面図である。
【図３】図２に示す吐出用圧電体の構造を拡大して示す図である。
【図４】図２に示す補正用圧電体の構造を拡大して示す図である。
【図５】本発明に係る補正用圧電体の他の形状例を示す図である。
【発明を実施するための形態】
【００１９】
以下、図面を参照して本発明に係る実施形態の一例について説明する。
【００２０】
＜全体構成＞
図１に示すように、本実施形態に係る画像形成装置１０には、記録媒体としての用紙Ｐの搬送方向上流側に、用紙Ｐを給紙搬送する給紙搬送部１２が設けられている。この給紙搬送部１２の搬送方向下流側には、用紙Ｐの搬送方向に沿って、用紙Ｐの記録面に処理液を塗布する処理液塗布部１４、用紙Ｐの記録面に画像を形成する画像形成部１６、乾燥した画像を用紙Ｐに定着させる画像定着部２０、画像が定着した用紙Ｐを排出する排出部２１が順次設けられている。以下、各処理部について説明する。
【００２１】
＜給紙搬送部＞
給紙搬送部１２には、用紙Ｐが積載される積載部２２が設けられており、積載部２２の用紙搬送方向下流側には、積載部２２に積載された用紙Ｐを一枚ずつ給紙する給紙部２４が設けられている。給紙部２４によって給紙された用紙Ｐは、複数のローラ対２６で構成された搬送部２８を経て、処理液塗布部１４へ搬送される。
【００２２】
＜処理液塗布部＞
処理液塗布部１４では、処理液塗布ドラム３０が回転可能に配設されている。この処理液塗布ドラム３０には、用紙Ｐの先端部を挟持して用紙Ｐを保持する保持部材３２が設けられており、保持部材３２を介して、処理液塗布ドラム３０の表面に用紙Ｐを保持した状態で、処理液塗布ドラム３０の回転によって用紙Ｐを下流側へ搬送する。
【００２３】
なお、後述する中間搬送ドラム３４、画像形成ドラム３６及び画像定着ドラム４０についても、処理液塗布ドラム３０と同様に保持部材３２が設けられている。そして、この保持部材３２によって、上流側のドラムから下流側のドラムへの用紙Ｐの受け渡しが行われる。
【００２４】
処理液塗布ドラム３０の上部には、処理液塗布ドラム３０の周方向に沿って、処理液塗布装置４２及び処理液乾燥装置４４が配設されており、処理液塗布装置４２によって、用紙Ｐの記録面に処理液が塗布され、処理液乾燥装置４４によって、処理液が乾燥される。
【００２５】
ここで、処理液はインクと反応して色材（顔料）を凝集し、色材（顔料）と溶媒を分離促進する効果を有している。処理液塗布装置４２には、処理液が貯留された貯留部４６が設けられており、グラビアローラ４８の一部が処理液に浸されている。
【００２６】
このグラビアローラ４８にはゴムローラ５０が圧接して配置されており、ゴムローラ５０が用紙Ｐの記録面（表面）側に接触して処理液が塗布される。また、グラビアローラ４８にはスキージ（図示せず）が接触しており、用紙Ｐの記録面に塗布する処理液塗布量を制御する。処理液乾燥装置４４には、熱風ノズル５４及びヒーター５６が処理液塗布ドラム３０の表面に近接して配設されている。処理液塗布部１４で記録面に処理液が塗布、乾燥された用紙Ｐは、処理液塗布部１４と画像形成部１６の間に設けられた中間搬送部５８へ搬送される。
【００２７】
＜中間搬送部＞
中間搬送部５８には、中間搬送ドラム３４が回転可能に設けられており、中間搬送ドラム３４に設けられた保持部材３２を介して、中間搬送ドラム３４の表面に用紙Ｐの先端を保持し、中間搬送ドラム３４の回転によって用紙Ｐを下流側へ搬送する。
【００２８】
＜画像形成部＞
画像形成部１６には、画像形成ドラム３６が回転可能に設けられており、画像形成ドラム３６に設けられた保持部材３２を介して、画像形成ドラム３６の表面に用紙Ｐを保持し、画像形成ドラム３６の回転によって用紙Ｐを下流側へ搬送する。
【００２９】
画像形成ドラム３６の上部には、画像形成ドラム３６の外周面に近接して、シングルパス方式のインクジェットラインヘッド６４で構成されたヘッドユニット６６が配設されている。このヘッドユニット６６では、例えば基本色であるＹＭＣＫのインクジェットラインヘッド６４が画像形成ドラム３６の周方向に沿って配列され、用紙Ｐ上に各色の液滴で画像を形成する。
【００３０】
インクジェットラインヘッド６４は、画像形成ドラム３６に配置された回転速度を検出するエンコーダ（図示せず）に同期して液滴吐出を行うことで、高精度に着弾位置を決定すると共に、画像形成ドラム３６の振れ、回転軸６８の精度、ドラム表面速度に依存せず、液滴吐出ムラを低減することが可能となる。
【００３１】
なお、ヘッドユニット６６は画像形成ドラム３６の上部から退避可能とされており、インクジェットラインヘッド６４のノズル面清掃や増粘インク排出などのメンテナンス動作は、このヘッドユニット６６を画像形成ドラム３６の上部から退避させることで実施される構成とされていてもよい。
【００３２】
記録面に画像が形成された用紙Ｐは、画像形成ドラム３６の回転によって、画像形成部１６とインク乾燥部１８の間に設けられた中間搬送部７０へ搬送されるが、中間搬送部７０については、中間搬送部５８と構成が略同一であるため説明を省略する。
【００３３】
＜インク乾燥部＞
インク乾燥部１８には、乾燥ドラム３８が回転可能に設けられており、乾燥ドラム３８の上部には、インク乾燥部１８の表面に近接して、熱風ノズル７２及びＩＲヒーター７４が複数配設されている。
【００３４】
ここでは、一例として、上流側と下流側に熱風ノズル７２が配置されるようにして、熱風ノズル７２と平行配列された一対のＩＲヒーター７４を交互に配置している。これ以外にも、上流側にＩＲヒーター７４を多く配置して上流側で熱エネルギーを多く照射し水分の温度を上昇させ、下流側に熱風ノズル７２を多く配置して飽和水蒸気を吹き飛ばすようにしても良い。
【００３５】
ここで、熱風ノズル７２は、熱風の吹きつけ角度を用紙の後端側に傾けて配置するようにしている。これにより、熱風ノズル７２による熱風の流れを一方向に集めることができ、また、乾燥ドラム３８側へ用紙を押し付け、該乾燥ドラム３８の表面に用紙を保持させた状態を維持することができる。
【００３６】
これらの熱風ノズル７２及びＩＲヒーター７４による温風によって、用紙の画像形成部では、色材凝集作用により分離された溶媒が乾燥され、薄膜の画像層が形成される。
【００３７】
温風は用紙の搬送速度によっても異なるが、通常は５０℃〜７０℃に設定され、ＩＲヒーター７４の温度を２００℃〜６００℃に設定する事で、インク表面温度が５０℃〜６０℃になるよう設定されている。蒸発した溶媒はエアーと共に画像形成装置１０の外部へ排出されるが、エアーは回収される。このエアーは、冷却器／ラジエータ等で冷却して液体として回収しても良い。
【００３８】
記録面の画像が乾燥した用紙は、乾燥ドラム３８の回転によって、インク乾燥部１８と画像定着部２０の間に設けられた中間搬送部７６へ搬送されるが、中間搬送部７６については、中間搬送部５８と構成が略同一であるため説明を省略する。
【００３９】
＜画像定着部＞
画像定着部２０には、画像定着ドラム４０が回転可能に設けられており、画像定着部２０では、用紙Ｐ上に形成された薄層の画像層内のラテックス粒子が加熱／加圧されて溶融し、用紙Ｐ上に固着定着する機能を有する。
【００４０】
画像定着ドラム４０の上部には、画像定着ドラム４０の表面に近接して、加熱ローラ７８が配設されている。この加熱ローラ７８は熱伝導率の良いアルミなどの金属パイプ内にハロゲンランプが組み込まれており、加熱ローラ７８によって、ラテックスのＴｇ温度以上の熱エネルギーが付与される。これにより、ラテックス粒子を溶融し、用紙Ｐ上の凹凸に押し込み定着を行うと共に画像表面の凹凸を平滑化し光沢性を得ることを可能とする。
【００４１】
加熱ローラ７８の下流側には、定着ローラ８０が設けられている、この定着ローラ８０は画像定着ドラム４０の表面に圧接した状態で配置され、画像定着ドラム４０との間でニップ力を得るようにしている。このため、定着ローラ８０又は画像定着ドラム４０のうち、少なくとも一方は表面に弾性層を持ち、用紙Ｐに対して均一なニップ幅を持つ構成とする。
【００４２】
以上の工程を経たのち、記録面の画像が定着した用紙Ｐは画像定着ドラム４０の回転によって、画像定着部２０の下流側に設けられた排出部２１側へ搬送される。
【００４３】
なお本実施形態では画像定着部２０について説明したが、乾燥ドラム３８で記録面に形成された画像を乾燥・定着させる構成とされていてもよく、画像定着部２０は必ずしも必須ではない。
【００４４】
＜液滴吐出ヘッドの構造＞
本発明の実施形態に係るインクジェットラインヘッドは図２、図３に示す液滴吐出ヘッドを備えている。
【００４５】
図２にはインクジェットラインヘッド６４の構造が示され、また図３には吐出要素の構造例が示されている。
【００４６】
図２（Ｂ)に示すように、ヘッドプレート１００には複数の液供給流路２１０が用紙Ｐの搬送方向に配列され、それぞれ図示しないインクタンクよりインクＳが供給される。インクＳは図示しないフィルタで濾過され、液循環口２１６より液供給流路２１０へ供給される。液供給流路２１０には、１ドットのインク滴を吐出する複数の吐出要素１０４が設けられ、液供給流路２１０より供給されたインクＳをインク滴として吐出する。
【００４７】
図２（Ａ）に示すように、ヘッドプレート１００に複数設けられた吐出要素１０４は液供給流路２１０よりインクＳが供給される圧力室２１２、圧力室２１２で加圧されたインクＳを液滴として吐出するノズル２１４、圧力室２１２を加圧してインクＳを押圧する振動板２００、振動板２００を駆動する圧電体２０２、個々の圧電体に電気信号を印加する駆動配線２０４、ノズル２１４ごとに設けられ駆動配線より電圧を印加される個別電極２０６、駆動配線２０４をヘッドプレート１００の外部と電気的に接続する接続端子２０８（図示せず）、振動板２００と圧電体２０２の間に設けられ接地（０Ｖ）された共通電極２２０、共通電極２２０と駆動配線２０４との間に設けられ両者を電気的に絶縁する絶縁層２２２などが設けられている。
【００４８】
接続端子２０８と共通電極２２０は図示しない電気基板上の圧電体駆動回路に接続されており、個々の吐出要素１０４を個別に駆動することが出来る。また、駆動する際に吐出要素１０４の圧電体２０２に印加される駆動波形は、例えば圧力室内のインクが共振するパルス幅の方形波である。インクの共振周波数ｆ（Ｈｚ）に対して、パルス幅は１／（２×ｆ）（秒）にすると効率よくインクを吐出する事が出来る。
【００４９】
さらに、方形波の電圧は使用するインクジェットヘッドの設計、圧電体の変位特性やインクの粘度によって大きく変わるが、本願の例では、１４（Ｖ）程度の振幅で、吐出インク滴速度が９（ｍ／秒）程度になり、適切である。このパルスを複数印加すれば、複数の滴を吐出する事が出来る。
【００５０】
また図２（Ａ）〜図２（Ｃ）に示すように、液供給流路２１０上の振動板２００には、共通電極２２０の上に圧電体３０４が設けられている。圧電体３０４は液供給流路２１０の上面すべてをカバーしていても、必要箇所のみ設けられていてもよい。
【００５１】
圧電体３０４の上には必要に応じて絶縁体３０２が設けられ、表面をカバーしている。圧電体３０４の、絶縁体３０２でカバーされていない箇所は補正用アクチュエータ３００とされる。隣接する吐出要素１０４に接続された２本の駆動配線２０４は、この補正用アクチュエータ３００において圧電体３０４と接触しながら図２（Ｃ）に示すように平行するように配置される。
【００５２】
例として図２（Ｃ）に示す吐出要素１０４Ｂと、隣接する吐出要素１０４Ｃとにそれぞれ接続する駆動配線２０４Ｂと駆動配線２０４Ｃとは、絶縁体３０２でカバーされず圧電体３０４が表面を形成している補正用アクチュエータ３００で、一定距離にわたって平行に配置される。以下、吐出要素１０４Ｂと吐出要素１０４Ｃとの駆動配線２０４に関しても同様である。
【００５３】
隣接した駆動配線２０４に接続される、隣接した吐出要素１０４が図示しない制御手段により同時に駆動電圧を印加されれば、平行して配置された２本の駆動配線２０４に駆動電圧が印加され、補正用アクチュエータ３００において共通電極２２０との間に電位差が発生し、吐出要素１０４と同時に補正用アクチュエータ３００もまた駆動される。
【００５４】
吐出要素１０４と補正用アクチュエータ３００の詳細な構造を図３、図４に示す。図３には、本発明の第１実施形態に係る吐出要素の構造が示され、図４には補正用アクチュエータ３００の構造が示されている。
【００５５】
図３（Ａ）、（Ｂ）に示すように、共通電極２２０を挟んで圧電体２０２上に形成された個別電極２０６に電圧が印加されると、図３（Ｃ）に示されるように圧電体２０２は矢印２０３のように、個別電極２０６と接している中心付近箇所は収縮しようとする。同時に個別電極２０６と接していない圧電体２０２の周縁部は膨張しようとする結果、圧電体２０２は矢印２０１のように圧力室２１２を加圧する方向に変位する。
【００５６】
これに対して図４（Ａ）〜（Ｃ）に示すように、絶縁体３０２で覆われていない箇所の圧電体３０４上に設けられた駆動配線２０４は、互いに隣接する駆動配線２０４同士が略平行に配置され、圧電体３０４を駆動配線２０４で挟む領域を形成し、補正用アクチュエータ３００としている。
【００５７】
図４（Ａ）の吐出要素１０４Ｃを含む一点鎮線Ａの矢視図を図４（Ｂ）（Ｃ）に示す。図４（Ｃ）に示すように駆動電極２０４Ａおよび駆動電極２０４Ｂと接している圧電体３０４は、吐出要素１０４Ａと吐出要素１０４Ｂとが同時に駆動された際、すなわち吐出要素１０４Ａと吐出要素１０４Ｂとで同時にインクＳが液滴としてノズル２１４から吐出された際には、図４（Ｂ）に示す補正用アクチュエータ３００Ａの領域で駆動配線２０４Ａと駆動配線２０４Ｂは共通電極２２０との間で圧電素子３０４に通電する。
【００５８】
これにより図４（Ｃ）に示すように駆動配線２０４Ａおよび駆動配線２０４Ｂに接している部分の圧電体３０４は矢印３０３のように収縮しようとし、且つ駆動配線３０４と接していない中心付近箇所は膨張しようとする結果、圧電体３０４は矢印３０１のように液供給流路２１０を膨張させ、減圧する方向に変位する。
【００５９】
圧電体２０２、３０４は例えばヘッドプレート１００と略同じ大きさの１枚の圧電体の両面に電極層を形成してから振動板２００に接着によって貼り付けられ、圧電体２０２、３０４及び個別電極２０６をエッチングによって必要な部分のみ残し形成される。その後、絶縁層２２２を形成し、個別電極２０６と補正用アクチュエータ３００とを結ぶ駆動配線２０４と接続端子２０８をメッキやスパッタなどによって形成する方法などが考えられる。
【００６０】
＜第１実施形態の効果＞
以下、本発明の実施形態に係るインクジェットラインヘッドの動作について説明する。
【００６１】
図３に示すような個々の吐出要素１０４の駆動配線２０４に電気信号を印加すると圧電体２０２が変位し、加圧された圧力室２１２からノズル２１４を通過してインクＳが液滴として吐出される。
【００６２】
この吐出圧力は、ノズル２１４からインクＳを吐出するだけでなく、インクＳを供給するための絞り部２１３に対してもインクＳを押し出す流れと圧力を発生させる。
【００６３】
この絞り部２１３に向かう流れと圧力は、インクＳの液供給流路２１０を通じて複数連通された各圧力室２１２に伝達され、他の圧力室２１２におけるインクＳの吐出力に影響を与え、吐出されるインク滴の速度や体積の変動を生じる（流体クロストーク）。
【００６４】
本実施形態では上記の流体クロストークが、互いに近い位置にある圧力室２１２同士で影響が大きいことに着目し、隣接した二つの吐出要素１０４が同時に吐出動作を行う際に、両者に接続された駆動配線２０４に挟まれた領域、すなわち補正用アクチュエータ３００で圧電体３０４を変位させる。
【００６５】
これにより隣接した二つの吐出要素１０４と、これに接続する２本の駆動配線２０４で挟まれた領域（補正用アクチュエータ３００）とで両者が互いに逆方向に変位する構成とした。
【００６６】
これによって、最も流体クロストークの影響が大きくなる、隣接した圧力室２１２が同時に加圧された際の液供給流路２１０への加圧を、これに接続する２本の駆動配線２０４で構成される補正用アクチュエータ３００にて液供給流路２１０を減圧する方向に変位させ、流体クロストークを低減することができる。
【００６７】
かつ、補正用アクチュエータ３００は吐出要素１０４の駆動配線２０４の途中に設けられているため、専用の配線を必要とせず、加えて隣接する吐出要素１０４を駆動すれば同時に同じ駆動配線２０４上の補正用アクチュエータ３００もまた駆動されるので、専用の制御手段を必要としない構成とすることができる。
【００６８】
吐出要素１０４の変位体積量は必要な吐出性能を得られるように決定される。この条件で吐出を行った際、絞り部２１３から液供給流路２１０に押し出されるインクＳの量はシミュレーションによって容易に求められるが、補正用アクチュエータ３００の変位体積は液供給流路２１０に押し出されるインクＳの量と略等しくすれば良い。
【００６９】
本実施形態では補正用アクチュエータ３００を構成する圧電体３０４は液供給流路２１０の上面をカバーしているが、これに限定せず必要な箇所のみ設けられていてもよい。
【００７０】
また、流体クロストークの影響は液供給流路２１０の長手方向中央近傍で顕著であるため、図５に示すような構造とされていてもよい。すなわち、吐出要素１０４Ｂと吐出要素１０４Ｃとが同時に駆動された際は補正用アクチュエータ３００Ｂが駆動されクロストークを補正し、吐出要素１０４Ｃと吐出要素１０４Ｄとが同時に吐出された際には補正用アクチュエータ３００Ｄが駆動される構成とすることで、液供給流路２１０の長手方向中央近傍において隣接する二つの吐出要素１０４が駆動された際には必ず補正用アクチュエータ３００が駆動される構造とすることができる。
【００７１】
＜その他＞
以上、本発明の実施例について記述したが、本発明は上記の実施例に何ら限定されるものではなく、本発明の要旨を逸脱しない範囲において種々なる態様で実施し得ることは言うまでもない。
【００７２】
例えば上記実施形態ではドラムの表面に用紙Ｐを保持、搬送する構成を例に挙げたが、これに限定せず例えば無端ベルト状の搬送ベルトを用いる構成や、平板状のステージを用いて用紙を搬送する構成に本発明を適用することも可能である。
【００７３】
また、上記実施形態では処理液塗布部１４で用紙Ｐに処理液を塗布し、乾燥させる処理を施したのち用紙Ｐに対してヘッドユニット６６にて液滴吐出を行う構成を例に挙げたが、勿論これに限定せず例えば通常紙（プレーンペーパー）を保持してそのまま搬送し、表面に液滴を直接吐出して画像を形成する通常のインクジェットプリンタに本発明を適用することも可能である。
【００７４】
さらに吐出される液はインクに限定されず、例えばエッチング時の基板パターン形成などに応用してもよい。
【符号の説明】
【００７５】
１０   画像形成装置
１２   給紙搬送部
１４   処理液塗布部
１６   画像形成部
１８   インク乾燥部
２０   画像定着部
６４   インクジェットラインヘッド
６６   ヘッドユニット（液滴吐出ヘッド）
１００ ヘッドプレート
１０４ 吐出要素
２００ 振動板
２０２ 圧電体（第１の圧力発生手段）
２０４ 駆動配線
２０６ 個別電極
２０８ 接続端子
２１０ 液供給流路
２１２ 圧力室
２１４ ノズル
２２０ 共通電極
２２２ 絶縁層
３００ 補正用アクチュエータ
３０２ 絶縁体
３０４ 圧電素子
３０４ 圧電体（第２の圧力発生手段）
３０４ 駆動配線
Ｐ     用紙
Ｓ     インク
【図１】
2010228218.tif 000003
【図２】
2010228218.tif 000004
【図３】
2010228218.tif 000005
【図４】
2010228218.tif 000006
【図５】
2010228218.tif 000007